(57)【特許請求の範囲】
【請求項１】
検査空間（２）内の検査対象（１）の器官の画像表示のための車両ハウジング（１１）内の陽電子放出断層撮影−磁気共鳴断層撮影複合装置であって、この陽電子放出断層撮影−磁気共鳴断層撮影複合装置が、
検査空間（２）からの陽電子消滅放射線を検出する少なくとも１つの放射線検出器（４）を備えた陽電子放出断層撮影装置（３）と、
検査空間（２）内に静磁場を発生する少なくとも１つの静磁場磁石コイル（６）、検査空間（２）内に傾斜磁場を発生する少なくとも１つの傾斜磁場コイル（７）および検査空間（２）内へ励起パルスを送信しかつ検査空間（２）からの磁気共鳴信号を受信する高周波アンテナ装置（８）を備えた磁気共鳴断層撮影装置（５）とを含み、
放射線検出器（４）および少なくとも１つの傾斜磁場コイル（７）が検査空間（２）の周りに同軸にかつほぼ同じ軸方向高さに配置され、
車両ハウジング（１１）の外側における静磁場および傾斜磁場ならびに消滅放射線を減弱させるための少なくとも１つの遮蔽要素（１５）を有する遮蔽装置（１４）が設けられ、
陽電子放出断層撮影装置（３）が磁気共鳴断層撮影装置（５）から取り出し可能である陽電子放出断層撮影−磁気共鳴断層撮影複合装置。
【請求項２】
遮蔽装置（１４）の少なくとも１つの遮蔽要素（１５）が強磁性である請求項１記載の陽電子放出断層撮影−磁気共鳴断層撮影複合装置。
【請求項３】
少なくとも１つの遮蔽要素（１５）が、遮蔽要素（１５）と検査空間（２）との間にγ線の遮蔽のための金属が存在しないところでは、より厚い壁厚（１５ａ）を有する請求項１又は２記載の陽電子放出断層撮影−磁気共鳴断層撮影複合装置。
【請求項４】
少なくとも１つの遮蔽要素（１５）が、高い原子番号の材料と消滅放射線の減弱のためのコバルトとを含んでいる請求項１乃至３の１つに記載の陽電子放出断層撮影−磁気共鳴断層撮影複合装置。
【請求項５】
遮蔽装置（１４）の少なくとも２つの遮蔽要素（１５）が１つの磁気共鳴断層撮影装置（５）に対して対称的に配置されている請求項１乃至４の１つに記載の陽電子放出断層撮影−磁気共鳴断層撮影複合装置。
【請求項６】
複数の磁気共鳴断層撮影装置（５）を備え、陽電子放出断層撮影装置（３）が異なる磁気共鳴断層撮影装置（５）間において交替させられる請求項１乃至５の１つに記載の陽電子放出断層撮影−磁気共鳴断層撮影複合装置。
【請求項７】
磁気共鳴断層撮影装置（５）の異なるトンネルに対して陽電子放出断層撮影装置（３）を適応させるためのアダプタ部品が用意されている請求項６記載の陽電子放出断層撮影−磁気共鳴断層撮影複合装置。
【請求項８】
陽電子放出断層撮影装置（３）がγ線検出のためのアバランシェフォトダイオードを含む請求項１乃至７の１つに記載の陽電子放出断層撮影−磁気共鳴断層撮影複合装置。
【発明の詳細な説明】
【技術分野】
【０００１】
本発明は、移動式の陽電子放出断層撮影（ＰＥＴ）−磁気共鳴断層撮影（ＭＲ）複合装置、特に請求項１の前文による車両ケーシング内の陽電子放出断層撮影−磁気共鳴断層撮影複合装置に関する。
【背景技術】
【０００２】
最近、医用撮像法において、陽電子放出断層撮影およびコンピュータ断層撮影からなる複合法（ＰＥＴ−ＣＴ）、単光子放出コンピュータ断層撮影およびコンピュータ断層撮影からなる複合法（ＳＰＥＣＴ−ＣＴ）、磁気共鳴断層撮影（ＭＲ）および陽電子放出断層撮影（ＰＥＴ）からなる複合法（ＭＲ−ＰＥＴ）もしくは磁気共鳴断層撮影および単光子放出コンピュータ断層撮影からなる複合法（ＭＲ−ＳＰＥＣＴ）のような、いわゆるハイブリッドモダリティが一段と重要性を増している。この組み合わせに関しては、ＭＲまたはＣＴのような高い分解能を持ったモダリティと、感度の高いモダリティ、すなわちＳＰＥＣＴまたはＰＥＴのような核医学法（以下において、ＮＭと呼ぶ。）との結合が有利である。これらの装置の幾つかは検査ボリュームの同時かつアイソセントリックな撮像を可能にする。これらの新しいハイブリッドモダリティの利用は、まさに初期段階において、絶え間ない予約が保証されているほど集中的であることは考えにくい。ＭＲ−ＰＥＴまたはＰＥＴ−ＣＴの収益性を保証するためには、システムが移動ユニットとして備えられるべきである。この場合にシステムは、車両（トレーラ）内に収納されて交替で多くの病院で利用される。車両内の限られた空間に収納することができるように、かつ全ての位置において新しい環境に協調していくように装置を変更する技術的な要求が頻繁である。例としては、移動式のＰＥＴ−ＣＴシステムにおける磁場に対する不都合として高い敏感性を挙げることができ、これはあらゆる位置において時間および人手のかかる調整過程を必要とする。
【０００３】
移動式のＭＲシステム、ＰＥＴシステムおよびＰＥＴ−ＣＴシステムは知られている。特に、移動ユニットにおけるＭＲとＰＥＴとの組み合わせに関心が寄せられている。しかしながら、通常のＰＥＴのシステムの外部磁場に対する高い妨害敏感性が欠点であり、その敏感性は地磁場の妨害作用ですら測定に影響を及し得るほど著しい。これは、位置移動ごとに時間のかかるシステム調整を必要とする。更に、ＭＲ検査もＰＥＴ検査も必要とする指示に対して、個別システムの場合には患者ロジスティックスおよび装置ロジスティックスが明確にされなければならない。
【０００４】
陽電子放出断層撮影−磁気共鳴断層撮影複合装置による検査空間内の検査対象の画像表示方法は知られている（例えば、特許文献１参照）。陽電子放出断層撮影装置は、検査空間に付設されたガンマ線検出器を備えた装置部分を含み、検出器は検査空間から検査対象によって放出されたガンマ線を検出する。磁気共鳴断層撮影装置は、静磁場を発生する静磁場コイルと、検査空間内に傾斜磁場を発生する傾斜磁場コイルシステムと、検査空間内への励起パルスの送信および／または検査空間からの検査対象の磁気共鳴信号の受信を行なう高周波アンテナ装置とを含む。傾斜磁場コイルシステムと高周波アンテナ装置との間には、高周波アンテナ装置を傾斜磁場コイルシステムから分離する高周波シールドが配置されている。
【０００５】
更に、両ＰＥＴ−ＭＲ撮像に使用されるアバランシェフォトダイオード（ＡＰＤ）モジュールが知られている（例えば、特許文献２参照）。各モジュールは多数の独立の光学的に絶縁された検出器を含む。各検出器はシンチレータ結晶の装置を含み、シンチレータ結晶の装置はＡＰＤの相応の装置によって読み取られる。モジュールはＭＲトンネル内に配置されている。このようにして、ＡＰＤによりアーチファクトのない高分解能のＰＥＴ−ＭＲ画像が撮影される。
【０００６】
それぞれのモダリティの複合化および空間的に制限された車両内への組込みのためのそれらの小型化のほかに、一方では環境への測定機器の影響を、他方では狭い限界内における環境による測定機器への影響を抑止することが重要である。したがって、車両の外側では測定機器の放射および磁場が通行人に危害を招いてはならない（いわゆる、心臓ペースメーカ限界）。更に、ＰＥＴ測定の場合には、ガンマ線が外へ向かって突き抜けることがあり得る。これも同様に車両周辺における放射線被曝の著しい増大を招いてはならない。逆に車両外部の放射線源または磁場が車両内部における測定機器に影響を及ぼしてはならない。
【特許文献１】独国特許出願公開第１０２００５０１５０７０号明細書
【特許文献２】国際特許出願公開第２００６／０７１９２２号明細書
【発明の開示】
【発明が解決しようとする課題】
【０００７】
本発明の課題は、できるだけコンパクトに構成され、一方では測定機器周辺の保護のための放射線保護基準値をできるだけ良好に満たし、他方では測定機器への妨害的な環境影響を排除する移動式の陽電子放出断層撮影−磁気共鳴断層撮影複合装置を提供することにある。
【課題を解決するための手段】
【０００８】
この課題は、本発明によれば、検査空間内の検査対象の器官の画像表示のための車両ハウジング内の陽電子放出断層撮影−磁気共鳴断層撮影複合装置であって、この陽電子放出断層撮影−磁気共鳴断層撮影複合装置が、
検査空間からの陽電子消滅放射線を検出する少なくとも１つの放射線検出器を備えた陽電子放出断層撮影装置と、
検査空間内に静磁場を発生する少なくとも１つの静磁場磁石コイル、検査空間内に傾斜磁場を発生する少なくとも１つの傾斜磁場コイルおよび検査空間内へ励起パルスを送信しかつ検査空間からの磁気共鳴信号を受信する高周波アンテナ装置を備えた磁気共鳴断層撮影装置とを含み、
放射線検出器および少なくとも１つの傾斜磁場コイルが検査空間の周りに同軸にかつほぼ同じ軸方向高さに配置され、
車両ハウジングの外側における静磁場および傾斜磁場ならびに消滅放射線を減弱させるための少なくとも１つの遮蔽要素を有する遮蔽装置が設けられ、
陽電子放出断層撮影装置が磁気共鳴断層撮影装置から取り出し可能であることによって解決される（請求項１）。
本発明の有利な実施態様は次の通りである。
・遮蔽装置の少なくとも１つの遮蔽要素が強磁性である（請求項２）。
・少なくとも１つの遮蔽要素が、遮蔽要素と検査空間との間にγ線の遮蔽のための金属が存在しないところでは、より厚い壁厚を有する（請求項３）。
・少なくとも１つの遮蔽要素が、高い原子番号の材料と消滅放射線の減弱のためのコバルトとを含んでいる（請求項４）。
・遮蔽装置の少なくとも２つの遮蔽要素が１つの磁気共鳴断層撮影装置に対して対称的に配置されている（請求項５）。
・複数の磁気共鳴断層撮影装置を備え、陽電子放出断層撮影装置が異なる磁気共鳴断層撮影装置間において交替させられる（請求項６）。
・磁気共鳴断層撮影装置の異なるトンネルに対して陽電子放出断層撮影装置を適応させるためのアダプタ部品が用意されている（請求項７）。
・陽電子放出断層撮影装置がγ線検出のためのアバランシェフォトダイオードを含む（請求項８）。
【０００９】
本発明によれば、両モダリティのデータを同時にかつアイソセントリック（isocentric）に取得することができるＭＲ−ＰＥＴハイブリッドシステムが適切な車両内に設置されて、ある位置から他の位置へ運ばれ、そこで動作させられる。移動装置の外側におけるガンマ線ならびに磁場に対する遮蔽は、車両ハウジングの外側での放射線被曝が最少に低下するように最適化される。このために、車両ハウジング内には強磁性ハウジングが組み込まれ、この強磁性ハウジングによって磁力線が短い距離を介して濃密にされ、それによって磁場の強さの急降下が達成される。強磁性ハウジングが比較的高い原子番号を有する材料からなるので、電磁放射との相互作用のための有効横断面積も比較的大きい。それにより電磁放射の相応の遮蔽が得られる。すなわち、ＰＥＴ測定の場合に外に向かって突き抜けるγ線がここで吸収される。
【００１０】
強磁性材料の配置は磁場の遮蔽への要求に応じて最適化される。これは磁石の漏れ磁場分布（ダイポール磁場）によって規定される形を前提とする。これに対してγ線は、第１近似において一様に球表面上に分布し、従って検査空間からの距離の２乗で弱まる。γ線から周辺を保護するための遮蔽体は鉛からなることが好ましい。本発明によれば、遮蔽体は、化学的組成、ＭＲ−ＰＥＴハイブリッド車両の周りにおける配置および厚みに関して、ＭＲ構成要素の磁場の遮蔽に寄与するように最適化される。それによって遮蔽体の重量およびコストが節減される。
【００１１】
検査空間内の検査対象の器官の画像表示のための車両ケーシング内の本発明による陽電子放出断層撮影−磁気共鳴断層撮影複合装置は、検査空間からの陽電子消滅放射線を検出する少なくとも１つの放射線検出器を備えた陽電子放出断層撮影装置と、検査空間内に静磁場を発生する少なくとも１つの静磁場磁石コイル、検査空間内に傾斜磁場を発生する少なくとも１つの傾斜磁場コイルおよび検査空間内へ励起パルスを送信しかつ検査空間からの磁気共鳴信号を受信する高周波アンテナ装置を備えた磁気共鳴断層撮影装置とを含み、放射線検出器および少なくとも１つの傾斜磁場コイルが検査空間の周りに同軸にかつほぼ同じ軸方向高さに配置され、車両ハウジングの外側における静磁場および傾斜磁場ならびに消滅放射線を減弱させるための少なくとも１つの遮蔽要素を有する遮蔽装置が設けられている。
【００１２】
本発明の１つの実施態様によれば、好ましくは遮蔽装置の少なくとも１つの遮蔽要素が強磁性である。それにより磁場は最も効果的に影響を及ぼされる。
【００１３】
更に、少なくとも１つの遮蔽要素が、遮蔽要素と検査空間との間でγ線を遮蔽するための金属が存在しないところでは、より厚い壁厚を有する。それにより遮蔽要素が重量およびコストに関して最適化される。
【００１４】
本発明の他の有利な実施態様では、少なくとも１つの遮蔽要素が、高い原子番号の材料と特に消滅放射線の減弱のためのコバルトとを含んでいる。このようにして同じ材料により車両外における磁場も電磁放射も減弱させられる。
【００１５】
特に、遮蔽装置の少なくとも２つの遮蔽要素が１つの磁気共鳴断層撮影装置に対して対称的に配置されている。それにより、陽電子放出断層撮影−磁気共鳴断層撮影複合装置を有する車両の設置時に放射線被曝が特定の方向において低減されるだけでなく、これがＭＲ−ＰＥＴ装置に関して対称的に生じることが達成される。
【００１６】
本発明の更に別の有利な実施態様では、陽電子放出断層撮影装置が磁気共鳴断層撮影装置から取り出し可能である。それにより、陽電子放出断層撮影装置の引き出しによって、磁気共鳴断層撮影装置における患者の快適性を高めることが達成される。
【００１７】
この実施態様においては、特に陽電子放出断層撮影装置が異なる磁気共鳴断層撮影装置間において交替させられ得る。これは、陽電子放出断層撮影−磁気共鳴断層撮影複合装置が複数の磁気共鳴断層撮影装置を装備している場合に有利である。いざという場合にはこのようにして陽電子放出断層撮影装置を予め定められた特定の場所に持ってゆき、必要時に相応に装備されたＭＲシステムにて動作させることができる。
【００１８】
これを実行することを可能にするためには、陽電子放出断層撮影装置が異なって設計されたＭＲシステムに適応可能でなければならない。このために、特に、陽電子放出断層撮影装置を磁気共鳴断層撮影装置の異なるトンネルに対して適応させるために役立つアダプタ部品が用意されている。
【００１９】
陽電子放出断層撮影−磁気共鳴断層撮影複合装置を地磁場のような周辺の磁場に関係なく設置することができるようにするために、陽電子放出断層撮影装置内においてγ線検出のためのアバランシェフォトダイオードが使用されるとよい。それにより、陽電子放出断層撮影−磁気共鳴断層撮影複合装置を有する車両をほぼ任意の方位で設置することができる。
【００２０】
本発明による装置の利点は、とりわけ車両内におけるＭＲシステムのスペース要求を簡単に考慮することができることにある。なぜならばＰＥＴ構成要素が完全に組み込まれているからである。装置空間内にＭＲ構成要素のほかに収納可能である特別なＰＥＴ電子機器のための最小のスペース要求しか生じない。例えばコンピュータ、コンソール、患者用寝台、電源接続要素、冷却要素のような他の全ての構成要素は、両部分モダリティに対して共通に構成される。ＰＥＴ−ＣＴのような公知のハイブリッドモダリティと違って、この場合には部分モダリティが相前後して配置されるのではなく、互いに入れ子式に配置され、このことが車両環境においてまさに限られたスペース占有を最適化する。更に、例えば、ＰＥＴにおいて通例の光電子増倍管技術の代わりにアバランシェフォトダイオードのような半導体技術を使用することよって、磁場に対する障害耐性が達成される。この技術が、適切な車両内の移動式のＰＥＴシステムまたはＭＲ−ＰＥＴシステムの簡単な位置移動を可能にする。すなわち、移動式のＰＥＴシステムまたはＭＲ−ＰＥＴシステムが問題なしに迅速にその都度の所望の位置に設置可能であり、しかも、その設置がそこにおいて何らかの付加的な準備措置が行なわれなければならないということなしに可能である。特に、ＰＥＴ装置におけるアバランシェフォトダイオード（ＡＰＤ）の使用は地磁場への非依存性をもたらし、すなわち設置時における車両の方位は重要でない。
【発明を実施するための最良の形態】
【００２１】
以下における添付図面を参照する実施例の説明から本発明による装置の他の特徴および利点を明らかにする。
図１は従来技術に基づくＰＥＴ−ＭＲ複合装置を斜視図にて示し、
図２は従来技術に基づくＰＥＴ−ＭＲ複合装置を側面図にて概略的に示し、
図３はＰＥＴ−ＭＲ複合装置を車両内および車両周辺に発生される磁場の等磁場線と共に上から見て概略的に示し、
図４は遮蔽装置が設けられている場合にＰＥＴ−ＭＲ複合装置を車両内および車両周辺に発生される磁場の等磁場線と共に上から見て概略的に示し、
図５はＰＥＴ−ＭＲ複合装置を車両内および車両周辺に発生される磁場の等磁場線と共に側方から見て概略的に示し、
図６は遮蔽装置が設けられている場合にＰＥＴ−ＭＲ複合装置を車両内および車両周辺に発生される磁場の等磁場線と共に側方から見て概略的に示し、
図７はＰＥＴ−ＭＲ複合装置を車両内および車両周辺に発生される磁場の等磁場線と共に前方から見て概略的に示し、
図８は遮蔽装置が設けられている場合にＰＥＴ−ＭＲ複合装置を車両内および車両周辺に発生される磁場の等磁場線と共に前方から見て概略的に示す。
【００２２】
図面は正しい縮尺に従って示したものではない。同じ要素または同じ作用をする要素には同一の参照符号が付されている。
【００２３】
図１に示されているように、ＰＥＴとＭＲとの組み合わせおいて検査対象１が検査空間２に送り込まれる。この検査空間２は検出器装置４を有するＰＥＴ装置３によって囲まれている。検出器装置４は、一般に、検査空間２の周りにリング状に配置された（図示されていない）シンチレーション結晶の装置である。シンチレーション結晶において５１１ｋｅＶのエネルギーを有する光子（陽電子の消滅放射線）が光量子に変換され、その後光量子が他方の側で、（図示されていない）光検出器に好ましくは（図示されていない）光導波路を介して導かれ、光検出器が光量子の個数に応じて電気的な出力信号を発生する。
【００２４】
検査対象１における検査の空間分解能を改善するために、ＰＥＴ装置３がＭＲ装置５により取り囲まれている。ＭＲ装置５は静磁場磁石６のほかに主として傾斜磁場コイル７および高周波アンテナ装置８を含む。以下において、これらの要素を図２に基づいて説明する。
【００２５】
図２にはこの種の構造を他の細部とともに断面図にて示す。検査対象１は部分的に検査空間２の内部にある。検査空間２の周りの外側全体に、静磁場を発生するためのコイル６が配置されている。コイル６によって検査空間２内に発生される磁場は、画像平面において検査対象２の主軸線と一致する軸線を有する。
【００２６】
コイル６内には他のコイルとして、検査空間２内に傾斜磁場を発生する傾斜磁場コイル７が配置されている。傾斜磁場コイル７は静磁場コイル６内に押し込まれているか、もしくはねじ込みにより嵌め込まれているので、両コイル６，７は互いにしっかり固定して結合されている。
【００２７】
ＭＲ装置の部分である高周波アンテナ装置８により、高周波電磁場が検査空間２内に照射される。
【００２８】
図３は、陽電子放出断層撮影−磁気共鳴断層撮影複合装置を、車両１１内に組み込まれた患者用寝台１０を有するユニット９として上から見た状態で示す。この車両１１は、特にトラックの大型トレーラであるとよく、陽電子放出断層撮影−磁気共鳴断層撮影複合装置９はその重量のゆえに好ましくは直接的にトレーラの１つまたは複数の車軸上に位置決めされている。測定機器９によって発生される磁場の説明のために、図３には、磁場の広がりを概略的に表わす等磁場線１２が示されている。明らかのように、測定機器９の直接周辺において最高の磁場強さが生じている。測定機器９からの距離が増すにつれて磁場強さは低下する。等磁場線１２の経過は測定機器９の周辺における材料によって決まる。磁気的な関連材料が測定機器９の近くに存在しないところでは、測定機器から出る磁場が周辺に深く入り込む。磁場に影響を及ぼす材料が測定機器の近くに存在するところでは、磁場が周辺へ殆ど入り込まない。したがって、図３において最も外側に示された等磁場線１２は、長軸が車両の長手軸線に平行に延びる楕円形を形成している。
【００２９】
本発明によれば、等磁場線１２の経過が、磁場による環境負担を最小にするよう的確に変更される。これは図４に概略的に示されている。
【００３０】
図４には車両内の測定機器９が平面図にて他の細部と共に示されている。測定機器９は検査空間２を囲う複数のコイルを有し、これらのコイルは車両の長手軸線に沿って連続的に配置され、図４には角棒として示されている。磁場経過を車両の長手軸線に対して直角方向にできるだけ大幅に制限するために、車両１１内に、測定機器９を少なくとも部分的に取り囲む遮蔽装置１４が設けられている。この遮蔽装置１４は、測定機器９の周辺において一様に磁場強さを低減するために測定機器９に対して対称的に配置されている複数の遮蔽要素１５を含む。
【００３１】
図３と図４との比較から明らかのように、測定機器９の周りにおける重要な位置に遮蔽要素１５を配置することによって、車両の外側の磁場が明らかに低減する。このような磁場低減は、車両の側方周辺において特に望ましい。なぜならば、そこでは、通行人が全然気づくことなく車両内部の測定機器９に特に近いところを通るからである。しかし、車両１１の走行方向における放射線被曝も低減させるために、もちろん測定機器９の前後に他の遮蔽要素１５が配置されるとよい。これが同様に図４に示されている。そして、ここにおいても磁場強さの相応の低減が得られる。全体として測定機器９の周りにおける磁場強さの楕円形経過はほぼ維持されたままであるが、磁場の広がりは主としてあと僅かに車両１１の内部空間のみに制限される。
【００３２】
この作用が磁場１２に対しても電磁放射に対しても通用することが、検査空間から出てくるガンマ量子である放射線１３によって示されている。この放射線１３も、遮蔽要素１５を有する遮蔽装置１４によって遮蔽されるので、放射線１３は車両１１から周辺へ全く到達しないかまたは僅かしか到達しない。主として、遮蔽要素１５が検査空間から大きな距離を持つところにおいてのみ、ガンマ量子が測定機器上に漏れる。換言するならば、図４の表示において、測定機器９に対して直角方向に設けられこの測定機器９の近くにある２つの遮蔽両要素１５が特に有効であることがわかった。なぜならば、当該遮蔽要素はγ線にとっての自由な空間角度も明らかに減少させるからである。この場合、ＰＥＴ構成要素の一部としてのγ線の遮蔽体は、ＭＲ構成要素の一部として磁性の鉄が存在するところでは、薄くてもよいことを考慮すべきである。換言するならば、本発明にしたがって提案されているように遮蔽体が高い原子番号を有する磁性材料からなるならば、磁場の遮蔽体がγ線の遮蔽をも生じかつγ線の遮蔽体が磁場の遮蔽をも生じる。
【００３３】
磁場の遮蔽も、電離した電磁放射の遮蔽も達成するためには、遮蔽要素１５のために適切な材料が使用されなければならない。このために、特に高い原子番号Ｚを有する強磁性材料が適している。特に、これは強磁性の鉄およびコバルトの合金である。
【００３４】
γ線の遮蔽の更なる改善は、絶対に必要であると思われるところにおいて、それぞれの遮蔽要素１５の壁厚が補強されることにより達成される。図４に示されているように、この場合に、遮蔽要素１５と検査空間２との間にγ線の遮蔽のための金属が存在しないところで、遮蔽要素１５がより厚い壁厚を有する。図４において、この壁補強１５ａは、遮蔽要素１５上における補強リブであり、これらの補強リブは、金属が検査空間２を取り囲んでいないところ、つまりコイルまたは継鉄が存在しないところに配設されている。したがって、側方の遮蔽要素１５上のリブ１５ａは概略的に示された測定機器９の金属を含む構造に対して相補的に配置されている。測定機器の先端側および後端側での遮蔽要素１５においては、範囲１５ａにおける壁がリブによってではなく、むしろ補強板全体によって補強されている。このようにして、磁場の低減に加えて放射線の低減も行なわれることが保証される。
【００３５】
他の図５ないし図８には、車両１１の側面図および正面図もしくは背面図で等磁場線１２が示されている。図５において、車両１１の車軸１６に関する測定機器９の負荷分布が明らかである。測定機器９の高重量のゆえに、患者用寝台１０を有する測定機器９は、２つの車軸１６上に配置されることが好ましい。車両は支持装置１８により止められている。車両の外側における収納装置１７は、特に材料が特別な条件下で収納されるべきである場合に、またはコンプレッサなどのようなエネルギー源が車両内部の人に負担をもたらす場合に、内部空間の外側に材料およびエネルギー源を収納するのに用いられる。
【００３６】
図６には、遮蔽要素１５を使用した場合における等磁場線１２の経過が示されている。磁場が車両１１の長手方向に幾何学的に制限されるのに対して、磁場は上または下の方向には全く影響を及ぼされない。これは図５による車両の場合にも絶対に必要というわけではない。高い原子番号Ｚを有する強磁性材料からなる遮蔽要素１５が寄与する車両１１の重量を削減するために、図６による実施形態では図示の２つの遮蔽要素のみが設けられている。
【００３７】
最後に図７および図８は遮蔽要素１５が有る場合もしくは無い場合における等磁場線１２の経過を示す。他の図におけると同様に、遮蔽なしの図７には車両１１ならびに測定機器９の外形が示されている。これに対して、図８には図をより良く見易くするために磁場経過のみが示されている。図７においては磁場が車両の側方に対して明白な広がりを示しているのに対して、図８による実施形態においては遮蔽によりこの広がりが消えている。したがって遮蔽の有効性が明らかである。
【００３８】
更に、以下において、移動式の陽電子放出断層撮影−磁気共鳴複合断層撮影の幾つかの利点および特徴を説明する。
【００３９】
移動式の陽電子放出断層撮影−磁気共鳴断層撮影複合装置におけるＰＥＴ構成要素は、（図示されていない）有利な実施形態において「挿入部分（インサート）」として実施され、すなわち、移動式の陽電子放出断層撮影−磁気共鳴断層撮影複合装置のＭＲシステムへのフレキシブルな挿入部分として実施されている。この場合に、コンピュータ、電子機器、電源等のＰＥＴシステムのための構造基盤が存在し、追加装備の必要はない。しかしながら、ＰＥＴ構成要素はより大きなＭＲトンネルのために取り出し可能であり、それによって患者の快適性が改善される。取り出し可能なＰＥＴシステムは、相応の構造基盤が存在している場合に、要求に応じて車両１１内へ組み込むことができ、あるいは異なった移動式または固定設置されたＭＲシステムの間で交替させられる。
【００４０】
特に、ＰＥＴ構成要素を、このようにして複数の（固定設置された）ＭＲシステムに対して使用することができる。この場合に、ＰＥＴ構成要素は、トラック内のそれぞれの指定位置に運び込まれ、必要に応じて、相応に装備させられたＭＲシステムにおいて作動可能である。
【００４１】
他の有利な実施形態では、ＰＥＴシステムが適切なアダプタ部品を装備している。それによりＭＲシステムのトンネル設計における相違を補償することができる。ＰＥＴ構成要素のための構造基盤がＭＲシステムに設けられていることが好ましい。この実施形態ではＰＥＴ構成要素が磁場強さに依存せずに構成可能であるので、ＰＥＴ構成要素は異なった磁場強さを有するＭＲシステム間でフレキシブルに交換可能である。
【００４２】
ＭＲ−ＰＥＴハイブリッドシステムの移動式構成に基づいてそれの利用を最適化することができる。移動式構成を可能にするために、本発明によれば、ＭＲ−ＰＥＴハイブリッドシステムのスペース占有が車両内において許容範囲に低減され、車両周辺における放射線被曝が最少化される。これは、本発明によれば、部分モダリティの集結および中央構成要素の共通利用のような技術的措置によって達成される。この場合に半導体技術の利用がセットアップ時間の低減を可能にし、これがまたもや正味利用時間を高める。ＰＥＴ構成要素の交互利用によって柔軟性が高められ、車両システムまたは固定設置システムが要求に応じて装備される。
【００４３】
更に陽電子放出断層撮影−磁気共鳴断層撮影複合装置が陽電子放出断層撮影装置３内にγ線検出のためのアバランシェフォトダイオードを含んでいるので、陽電子放出断層撮影−磁気共鳴断層撮影複合装置が周囲の（地）磁場に関して任意の方位で設置可能である。
【図面の簡単な説明】
【００４４】
【図１】従来技術に基づくＰＥＴ−ＭＲ複合装置を概略的に示す斜視図
【図２】従来技術に基づくＰＥＴ−ＭＲ複合装置を概略的に示す側面図
【図３】ＰＥＴ−ＭＲ複合装置を車両内および車両周辺に発生される磁場の等磁場線と共に上から見た概略図
【図４】遮蔽装置が設けられている場合にＰＥＴ−ＭＲ複合装置を車両内および車両周辺に発生される磁場の等磁場線と共に上から見た概略図
【図５】ＰＥＴ−ＭＲ複合装置を車両内および車両周辺に発生される磁場の等磁場線と共に側方から見た概略図
【図６】遮蔽装置が設けられている場合にＰＥＴ−ＭＲ複合装置を車両内および車両周辺に発生される磁場の等磁場線と共に側方から見た概略図
【図７】ＰＥＴ−ＭＲ複合装置を車両内および車両周辺に発生される磁場の等磁場線と共に前方から見た概略図
【図８】遮蔽装置が設けられている場合にＰＥＴ−ＭＲ複合装置を車両内および車両周辺に発生される磁場の等磁場線と共に前方から見た概略図
【符号の説明】
【００４５】
１          検査対象
２          検査空間
３          ＰＥＴ装置
４          検出器装置
５          ＭＲ装置
６          静磁場磁石
７          傾斜磁場コイル
８          高周波アンテナ装置
９          陽電子放出断層撮影−磁気共鳴断層撮影複合装置
１０        患者用寝台
１１        車両
１２        等磁場線
１３        放射線
１４        遮蔽装置
１５        遮蔽要素
１６        車軸
１７        収納装置
１８        保護装置
【図１】
0005279394.tif 000002
【図２】
0005279394.tif 000003
【図３】
0005279394.tif 000004
【図４】
0005279394.tif 000005
【図５】
0005279394.tif 000006
【図６】
0005279394.tif 000007
【図７】
0005279394.tif 000008
【図８】
0005279394.tif 000009